【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
無線通信の親機として動作するアクセスポイント機能を有する通信装置であって、
前記アクセスポイントと外部装置との接続が確立された場合に、確立された接続に関する接続情報を接続履歴情報に追加する追加手段と、
前記外部装置から前記アクセスポイントへの接続要求を受領した場合において、前記外部装置に係る接続情報が前記接続履歴情報に含まれていない場合には、前記外部装置と前記アクセスポイントの接続を確立し、前記外部装置から前記アクセスポイントへの接続要求を受領した場合において、前記外部装置に係る接続情報が前記接続履歴情報に含まれている場合には、前記外部装置と前記アクセスポイントの接続を確立しないよう制御する通信制御手段と
を有することを特徴とする通信装置。
【請求項２】
前記通信制御手段は、
前記外部装置から前記アクセスポイントへの接続要求を受領した場合において、複数の設定のうち予め定められた第１の設定が設定され、かつ、前記外部装置に係る接続情報が前記接続履歴情報に含まれていない場合には、前記外部装置と前記アクセスポイントの接続を確立し、
前記外部装置から前記アクセスポイントへの接続要求を受領した場合において、前記第１の設定が設定され、かつ、前記外部装置に係る接続情報が前記接続履歴情報に含まれている場合には、前記外部装置と前記アクセスポイントの接続を確立しないよう制御することを特徴とする請求項１に記載の通信装置。
【請求項３】
前記接続履歴情報に含まれる、一の装置に係る装置情報を示す画面を表示手段に表示する表示制御手段をさらに有し、
前記通信制御手段は、
前記外部装置から前記アクセスポイントへの接続要求を受領した場合において、前記複数の設定のうち前記第１の設定以外の設定が設定され、かつ前記画面に示される装置情報が前記外部装置の装置情報である場合に、前記外部装置と前記アクセスポイントの接続を確立し、
前記外部装置から前記アクセスポイントへの接続要求を受領した場合において、前記第２の設定が設定され、かつ前記画面に示される装置情報が前記外部装置の装置情報と異なる場合に、前記外部装置と前記アクセスポイントの接続を確立しないよう制御することを特徴とする請求項２に記載の通信装置。
【請求項４】
前記通信制御手段は、前記第１の設定以外の設定が設定されている場合には、前記外部装置に係る前記接続情報が前記接続履歴情報に含まれているか否かに関わらず、前記外部装置と前記アクセスポイントの接続を確立することを特徴とする請求項２に記載の通信装置。
【請求項５】
前記複数の設定のうち一の設定を示す画面を表示手段に表示する表示制御手段をさらに有することを特徴とする請求項２乃至４の何れか１項に記載の通信装置。
【請求項６】
前記接続履歴情報には、前記アクセスポイントに予め定められたＳＳＩＤ（Ｓｅｒｖｉｃｅ  ｓｅｔ  ｉｄｅｎｔｉｆｉｒ）が設定された状態で接続が確立した外部装置の装置情報が含まれていることを特徴とする請求項１乃至５の何れか１項に記載の通信装置。
【請求項７】
印刷手段をさらに有することを特徴とする請求項１乃至６の何れか１項に記載の通信装置。
【請求項８】
前記通信制御手段は、少なくともＳＳＩＤと暗号化キーとを用いて、前記アクセスポイントと前記外部装置との接続を確立することを特徴とする請求項１乃至７の何れか１項に記載の通信装置。
【請求項９】
前記接続情報は、前記外部装置の名称及び識別情報のうち少なくとも１つを含むことを特徴とする請求項１乃至８の何れか１項に記載の通信装置。
【請求項１０】
無線通信の親機として動作するアクセスポイント機能を有する通信装置が実行する通信制御方法であって、
前記アクセスポイントと外部装置との接続が確立された場合に、確立された接続に関する接続情報を接続履歴情報に追加する追加ステップと、
前記外部装置から前記アクセスポイントへの接続要求を受領した場合において、前記外部装置に係る接続情報が前記接続履歴情報に含まれていない場合には、前記外部装置と前記アクセスポイントの接続を確立し、前記外部装置から前記アクセスポイントへの接続要求を受領した場合において、前記外部装置に係る接続情報が前記接続履歴情報に含まれている場合には、前記外部装置と前記アクセスポイントの接続を確立しないよう制御する通信制御ステップと
を含むことを特徴とする通信制御方法。
【請求項１１】
前記通信制御ステップでは、
前記外部装置から前記アクセスポイントへの接続要求を受領した場合において、複数の設定のうち予め定められた第１の設定が設定され、かつ、前記外部装置に係る接続情報が前記接続履歴情報に含まれていない場合には、前記外部装置と前記アクセスポイントの接続を確立し、
前記外部装置から前記アクセスポイントへの接続要求を受領した場合において、前記第１の設定が設定され、かつ、前記外部装置に係る接続情報が前記接続履歴情報に含まれている場合には、前記外部装置と前記アクセスポイントの接続を確立しないよう制御することを特徴とする請求項１０に記載の通信制御方法。
【請求項１２】
前記接続履歴情報に含まれる、一の装置に係る装置情報を示す画面を表示手段に表示する表示制御ステップをさらに含み、
前記通信制御ステップでは、
前記外部装置から前記アクセスポイントへの接続要求を受領した場合において、前記複数の設定のうち前記第１の設定以外の設定が設定され、かつ前記画面に示される装置情報が前記外部装置の装置情報である場合に、前記外部装置と前記アクセスポイントの接続を確立し、
前記外部装置から前記アクセスポイントへの接続要求を受領した場合において、前記第２の設定が設定され、かつ前記画面に示される装置情報が前記外部装置の装置情報と異なる場合に、前記外部装置と前記アクセスポイントの接続を確立しないよう制御することを特徴とする請求項１１に記載の通信制御方法。
【請求項１３】
前記通信制御ステップでは、前記第１の設定以外の設定が設定されている場合には、前記外部装置に係る前記接続情報が前記接続履歴情報に含まれているか否かに関わらず、前記外部装置と前記アクセスポイントの接続を確立することを特徴とする請求項１１に記載の通信制御方法。
【請求項１４】
前記複数の設定のうち一の設定を示す画面を表示手段に表示する表示制御手段をさらに有することを特徴とする請求項１１乃至１３の何れか１項に記載の通信制御方法。
【請求項１５】
前記接続履歴情報には、前記アクセスポイントに予め定められたＳＳＩＤが設定された状態で接続が確立した外部装置の装置情報が含まれていることを特徴とする請求項１０乃至１４の何れか１項に記載の通信制御方法。
【請求項１６】
前記通信装置は、印刷手段を備えることを特徴とする請求項１０乃至１５の何れか１項に記載の通信制御方法。
【請求項１７】
前記通信制御ステップでは、少なくともＳＳＩＤと暗号化キーとを用いて、前記アクセスポイントと前記外部装置との接続を確立することを特徴とする請求項１０乃至１６の何れか１項に記載の通信制御方法。
【請求項１８】
前記接続情報は、前記外部装置の名称及び識別情報のうち少なくとも１つを含むことを特徴とする請求項１０乃至１７の何れか１項に記載の通信制御方法。
【請求項１９】
無線通信の親機として動作するアクセスポイント機能を有する通信装置のコンピュータを、
前記アクセスポイントと外部装置との接続が確立された場合に、確立された接続に関する接続情報を接続履歴情報に追加する追加手段と、
前記外部装置から前記アクセスポイントへの接続要求を受領した場合において、前記外部装置に係る接続情報が前記接続履歴情報に含まれていない場合には、前記外部装置と前記アクセスポイントの接続を確立し、前記外部装置から前記アクセスポイントへの接続要求を受領した場合において、前記外部装置に係る接続情報が前記接続履歴情報に含まれている場合には、前記外部装置と前記アクセスポイントの接続を確立しないよう制御する通信制御手段と
して機能させるためのプログラム。
【手続補正２】
【補正対象書類名】明細書
【補正対象項目名】０００７
【補正方法】変更
【補正の内容】
【０００７】
そこで、本発明は、無線通信の親機として動作するアクセスポイント機能を有する通信装置であって、前記アクセスポイントと外部装置との接続が確立された場合に、確立された接続に関する接続情報を接続履歴情報に追加する追加手段と、前記外部装置から前記アクセスポイントへの接続要求を受領した場合において、前記外部装置に係る接続情報が前記接続履歴情報に含まれていない場合には、前記外部装置と前記アクセスポイントの接続を確立し、前記外部装置から前記アクセスポイントへの接続要求を受領した場合において、前記外部装置に係る接続情報が前記接続履歴情報に含まれている場合には、前記外部装置と前記アクセスポイントの接続を確立しないよう制御する通信制御手段とを有することを特徴とする。